(57)【特許請求の範囲】
【請求項１】
シリコン製の財布であって、
対向する２枚の平面部と、
上記平面部の底辺が接続された底面部と、
上記平面部の左右側面が接続された側面部と、
上記平面部、底面部、側面部により形成される空間を分割する仕切り部と、を備え、
少なくとも上記平面部、底面部、側面部、及び仕切り部は一体成型され、
上記平面部の上辺は、所定の厚みを有する上面厚み部となっており、当該上面厚み部の内側には中空円筒状の金具取付部が形成され、当該金具取付部には上記平面部を開閉自在とするための金具部が装着されること
を特徴とする財布。
【請求項２】
上記各平面部の上記上面厚み部及び金具取付部には、つまみ部がそれぞれ取り付けられており、対向する２つのつまみ部が嵌合することで、上記平面部の閉じた状態が維持されること
を特徴とする請求項１に記載の財布。
【請求項３】
シリコン製の財布であって、
対向する２枚の平面部と、
上記平面部の底辺が接続された底面部と、
上記平面部の左右側面が接続された側面部と、
上記平面部、底面部、側面部により形成される空間を分割する仕切り部と、を備え、
少なくとも上記平面部、底面部、側面部、及び仕切り部は一体成型され、
上記平面部は、少なくとも上部左右の角が丸みを帯びた略台形となっており、閉じた状態のときには所定の曲率で撓み、開いた状態のときにはフラットな平面となること
を特徴とする財布。
【請求項４】
シリコン製の財布であって、
対向する２枚の平面部と、
上記平面部の底辺が接続された底面部と、
上記平面部の左右側面が接続された側面部と、
上記平面部、底面部、側面部により形成される空間を分割する仕切り部と、を備え、
少なくとも上記平面部、底面部、側面部、及び仕切り部は一体成型され、
上記側面部には、一体成型時に折り目が形成されること
を特徴とする財布。
【発明の詳細な説明】
【技術分野】
【０００１】
本発明は、シリコン製で、一体成型であるにも関わらず収納部が仕切り部により分割されている、がま口タイプの財布に関する。
【背景技術】
【０００２】
従来、財布には、紙幣や小銭だけでなく、クレジットカードや会員カード等の各種カード類、レシート、その他を収納することが所望されるので、それらの分別のために、複数の収納部を備えた財布が提供されている。【０００３】
例えば、特許文献１では、当面必要な小銭やカードと数枚の紙幣を収納するために、本体内部に上方に開口部を有する複数の収納部を備えた財布が開示されている。
【先行技術文献】
【特許文献】
【０００４】
【特許文献１】実用新案登録第３１５０５３２号公報
【発明の概要】
【発明が解決しようとする課題】
【０００５】
しかしながら、特許文献１に開示された財布は、小銭収納部仕切り布や小銭収納部まち布、カード収納部仕切り布等、複数の別々のパーツとしての布が組み合わされて作られており、収納部は一体成型されたものではない。従って、製造工程が多工程からなるので製造に時間と手間がかかり、コスト高ともなる。そして、素材として布を採用しており、シリコンを採用してはおらず、シリコン素材を用いた収納部の一体成型については何ら開示も示唆もしていない。【０００６】
そこで、本発明は上述の技術的な課題に鑑み、シリコン製で、収納部が一体成型であるにも関わらず仕切り部により分割されている、がま口タイプの財布を提供することを目的とする。
【課題を解決するための手段】
【０００７】
上述技術的な課題を解決するため、本発明の１つの態様では、シリコン製の財布であって、対向する２枚の平面部と、上記平面部の底辺が接続された底面部と、上記平面部の左右側面が接続された側面部と、上記平面部、底面部、側面部により形成される空間を分割する仕切り部と、を備え、少なくとも上記平面部、底面部、側面部、及び仕切り部は一体成型されることを特徴とする財布が提供される。【０００８】
そして、この態様において、上記平面部の上辺は、所定の厚みを有する上面厚み部となっており、当該上面厚み部の内側には中空円筒状の金具取付部が形成され、当該金具取付部には上記平面部を開閉自在とするための金具部が装着されることとしてもよい。【０００９】
この態様において、上記各平面部の上記上面厚み部及び金具取付部には、つまみ部がそれぞれ取り付けられており、対向する２つのつまみ部が嵌合することで、上記平面部の閉じた状態が維持されることとしてもよい。【００１０】
この態様において、上記平面部は、少なくとも上部左右の角が丸みを帯びた略台形となっており、閉じた状態のときには所定の曲率で撓み、開いた状態のときにはフラットな平面となることとしてもよい。【００１１】
この態様において、上記側面部には、一体成型時に折り目が形成されることとしてもよい。
【発明の効果】
【００１２】
本発明に係る財布によれば、シリコン製で、一体成型であるにも関わらず収納部を仕切り部により分割することが可能となる。
【図面の簡単な説明】
【００１３】
【図１】本発明の一実施形態に係る財布の正面図である。
【図２】本発明の一実施形態に係る財布の側面図である。
【図３】本発明の一実施形態に係る財布の平面図である。
【図４】本発明の一実施形態に係る財布の開いた状態を示す平面図である。
【図５】本発明の一実施形態に係る財布の開いた状態を示す斜視図である。
【発明を実施するための形態】
【００１４】
以下、本発明の財布に係る好適な実施形態について図面を参照しながら説明する。なお本発明の財布は、以下の記述に限定されるものではなく、本発明の要旨を逸脱しない範囲において、適宜変更可能である。
【００１５】
図１には本発明の一実施形態に係る財布の正面図を示し、図２には当該財布の側面図を示し、図３には当該財布の平面図を示し、図４には当該財布の開いた状態を示す平面図を示し、図５には当該財布の開いた状態を示す斜視図を示し、説明する。
【００１６】
これらの図に示されるように、この財布１は、少なくとも上部左右の角が丸みを帯びた略台形の平面部２，３を備えている。但し、略台形には限定されない。この平面部２，３は、弾力性のある柔軟な素材でできているので、閉じた状態のときに側面から見ると所定の曲率で撓んでいる。但し、平面部２，３は、開いた状態のときに側面から見ると当該撓みはなく、フラットな平面となっている。シリコンという材質の柔軟性により、このような柔軟な形状の変化が起こるのである。したがって、平面部２，３を開いたときには、開口が大きくなるので、紙幣やカード、硬貨等を取り出しやすくなり、閉じたときには、コンパクトにまとまるので、携帯に好適となる。
【００１７】
これら平面部２，３の底辺は、底面部４にそれぞれ接続されている。平面部２，３の左右の端は、所定の厚み（例えば３〜６ｍｍ）を有する側面厚み部７，８となっており、底面部４の左右の端は、所定の厚み（例えば３〜６ｍｍ）を有する底面厚み部９となっている。これら側面厚み部７，８と底面厚み部９は、財布１の開閉に応じて開いたり折り畳まれたりする側面部１０にそれぞれ接続されている。この側面部１０には、成型時にあるいは事後的に折り目が形成されている。この折り目により、規則的な開閉（折り畳み）が実現されている。
【００１８】
平面部２，３の上辺は、所定の厚み（例えば３〜６ｍｍ）を有する上面厚み部１２，１３となっており、当該上面厚み部１２，１３の内側には金具部１１ａ，１１ｂを回動自在に取り付けるための中空円筒状の金具取付部１５，１６が設けられている。また、上面厚み部１２及び金具取付部１５には、つまみ部５が取り付けられており、上面厚み部１３及び金具取付部１６には、つまみ部６が取り付けられている。金具部１１ａ，１１ｂは、平面部２，３の開閉に応じて、回転中心部１１ｃを中心に回動自在となっている。この金具部１１ａ，１１ｂの回動により規則的な平面部２，３の開閉が実現される。
【００１９】
つまみ部５，６は、球体部５ａ，６ａと、それを支える円柱形状の支柱部５ｂ，６ｂとからなる。支柱部５ｂは、閉じた状態の平面部２の傾斜角度よりも平面部３側に若干傾斜して延出しており、その先端に取り付けられる球体部５ａは、平面部２，３を閉じた状態では、平面部３の上面厚み部１３にその下面の一部が当接するようになっている。この球体部５ａの当接面は一部凹部となっていてもよい。このような凹部を設ければ、より一層強い嵌合が実現されることになる。
【００２０】
支柱部６ｂは、閉じた状態の平面部３の傾斜角度よりも平面部２側に若干傾斜して延出しており、その先端に取り付けられる球体部６ａは、平面部２，３を閉じた状態では、平面部２の上面厚み部１２にその下面の一部が当接するようになっている。この球体部６ａの当接面は一部凹部となっていてもよい。このような凹部を設ければ、より一層強い嵌合が実現されることになる。
【００２１】
平面部２，３を閉じた状態では、球体部５ａ，６ａの外周面の一部は当接する。すなわち、球体部５ａ，６ａの上面厚み部１３，１２への当接、及び球体部５ａ，６ａ同士の当接により、平面部２，３が閉じた状態が維持されるようになっている。この平面部２，３が閉じた状態では、金具取付部１５，１６も当接する。これにより、平面部２，３と側面部１０、底面部４により形成される空間は、閉ざされた状態となる。従って、内部に収納された物品が不本意に外に出ることもない。
【００２２】
平面部２，３を閉じたときには、側面部１０は、その折り曲げ部１０ａ，１０ｂ，１０ｃが折り畳まれるようになっている。即ち、折り曲げ部１０ａ，１０ｂは、谷折されて仕切り部と平面部２，３により挟持されるような形で収納され、折り曲げ部１０ｃは、山折される。平面部２，３と側面部１０、底面部４により形成される空間は、仕切り部１４により２つに区分けされている。これにより、紙幣や硬貨とカード等を分別して収納することが可能となる。この例では、仕切り部１４は、上記空間を２分すべく中央に配設された１つとしたが、これに限らず複数の仕切り部１４を設けてもよい。全体の成型後に事後的に仕切り部１４を付けるのではなく、一体成型される。
【００２３】
以上詳述したように、本発明の財布は、シリコン製の財布であって、対向する２枚の平面部２，３と、上記平面部２，３の底辺が接続された底面部４と、上記平面部２，３の左右側面が接続された側面部１０と、上記平面部２，３、底面部４、側面部１０により形成される空間を分割する仕切り部１４と、を備え、少なくとも上記平面部２，３、底面部４、側面部１０、及び仕切り部１４は一体成型されることを特徴とする。
【００２４】
ここで、上記平面部２，３の上辺は、所定の厚みを有する上面厚み部１２，１３となっており、当該上面厚み部１２，１３の内側には中空円筒状の金具取付部１５，１６が形成され、当該金具取付部１５，１６には上記平面部２，３を開閉自在とするための金具部１１ａ，１１ｂが装着されることを特徴としてよい。これにより、平面部２，３の規則的な開閉が実現されることになる。
【００２５】
さらに、上記各平面部２，３の上記上面厚み部１２，１３及び金具取付部１５，１６には、つまみ部５，６がそれぞれ取り付けられており、対向する２つのつまみ部５，６が嵌合することで、上記平面部２，３の閉じた状態が維持されることを特徴としてよい。これにより、収容物が不本意に外に出てしまうことを防止できる。
【００２６】
また、上記平面部２，３は、少なくとも上部左右の角が丸みを帯びた略台形となっており、閉じた状態のときには所定の曲率で撓み、開いた状態のときにはフラットな平面となることを特徴としてよい。これにより、閉じた状態のときにはコンパクトになり、開いた状態のときには、開口が大きくなるので、収容物の出し入れが容易となる。
【００２７】
上記側面部１０には、一体成型時に折り目が形成されることを特徴としてよい。この折り目によれば、規則的な平面部２，３の開閉が実現される。
【００２８】
本発明に係る財布の構成の特徴は、素材としてシリコンを採用しており、がま口の内側に一体成型での仕切りを備えている点にある。皮革製品・縫製製品ではよく見られる構造であるが、シリコン製で、しかも別々のパーツを組み合わせるのではなく一体成型での仕切りは今までのシリコン製のがま口には類を見ない作りとなっている。
【符号の説明】
【００２９】
１  財布
２  平面部
３  平面部
４  底面部
５  つまみ部
６  つまみ部
７  側面厚み部
８  側面厚み部
９  底面厚み部
１０  側面部
１０ａ  折り曲げ部
１０ｂ  折り曲げ部
１０ｃ  折り曲げ部
１１ａ  金具部
１１ｂ  金具部
１１ｃ  回転中心部
１２  上面厚み部
１３  上面厚み部
１４  仕切り部
１５  金具取付部
１６  金具取付部
【図１】
0005555390.tif 000002
【図２】
0005555390.tif 000003
【図３】
0005555390.tif 000004
【図４】
0005555390.tif 000005
【図５】
0005555390.tif 000006